(57)【要約】      （修正有）【課題】旅心を煽って貯金したくなるとともに飾っても可愛い貯金箱を提供する。【解決手段】貯金箱１は、スーツケースの形状を有していてキャラクターの外観を模したマスコット１０と、マスコットに収納された貯金箱本体２０と、貯金箱本体の内部に設けられていて、貨幣の投入を感知する振動感知センサ、キャラクターの音声を再生するスピーカ、及び振動感知センサが貨幣の投入を感知したときにスピーカにキャラクターの音声を再生させるように構成された回路基板を有するモジュールと、を備える。【選択図】図１
0003205836.tif 000002
【実用新案登録請求の範囲】
【請求項１】
スーツケースの形状を有するとともにキャラクターの外観を模したマスコットと、
前記マスコットに収納された貯金箱本体と、
前記貯金箱本体の内部に設けられていて、貨幣の投入を感知する振動感知センサ、前記キャラクターの音声を再生するスピーカ、及び前記振動感知センサが貨幣の投入を感知したときに前記スピーカに前記キャラクターの音声を再生させるように構成された回路基板を有するモジュール
と、
を備えることを特徴とする貯金箱。
【請求項２】
前記回路基板が、前記キャラクターの音声を複数記憶する記憶部、及び記憶した前記キャラクターの音声を前記スピーカにランダムに再生させる制御部を更に有する、請求項１に記載の貯金箱。
【請求項３】
前記マスコットが、立体的な車輪を更に有する、請求項１に記載の貯金箱。
【請求項４】
前記マスコットが、立体的なハンドルを更に有する、請求項１に記載の貯金箱。
【考案の詳細な説明】
【技術分野】
【０００１】
本考案は、キャラクターの音声がランダムに流れる貯金箱に関する。
【背景技術】
【０００２】
従来、電話機に貨幣投入用の穴を開け、硬貨投入時にベルに当たって音が出るようにした本物の電話機貯金箱が、例えば特許文献１に開示されている。
【先行技術文献】
【特許文献】
【０００３】
【特許文献１】実開昭６３−１３６４３７号公報
【考案の概要】
【考案が解決しようとする課題】
【０００４】
しかしながら、旅心を煽って貯金したくなるとともに飾っても可愛い貯金箱は見当たらなかった。
【課題を解決するための手段】
【０００５】
本考案の第１の態様は、スーツケースの形状を有するとともにキャラクターの外観を模したマスコットと、マスコットに収納された貯金箱本体と、貯金箱本体の内部に設けられていて、貨幣の投入を感知する振動感知センサ、キャラクターの音声を再生するスピーカ、及び振動感知センサが貨幣の投入を感知したときにスピーカにキャラクターの音声を再生させるように構成された回路基板を有するモジュールと、を備える、貯金箱を提供する。
本考案の第２の態様は、第１の態様において、回路基板が、キャラクターの音声を複数記憶する記憶部、及び記憶したキャラクターの音声を前記スピーカにランダムに再生させる制御部を更に有する、貯金箱を提供する。
本考案の第３の態様は、第１の態様において、マスコットが、立体的な車輪を更に有する、貯金箱を提供する。
本考案の第４の態様は、第１の態様において、マスコットが、立体的なハンドルを更に有する、貯金箱を提供する。
【考案の効果】
【０００６】
本考案に係る貯金箱によれば、旅心を煽って貯金したくなるとともに飾っても可愛い貯金箱を提供できる。
【図面の簡単な説明】
【０００７】
【図１】本考案の一実施形態における貯金箱の正面図である。
【図２】本考案の一実施形態における貯金箱の側面図である。
【図３】本考案の一実施形態における貯金箱の平面図である。
【図４】本考案の一実施形態における貯金箱の底面図である。
【図５】本考案の一実施形態における貯金箱本体の斜視図である。
【図６】本考案の一実施形態における貯金箱本体の平面図である。
【図７】本考案の一実施形態における貯金箱本体の底面図である。
【考案を実施するための形態】
【０００８】
以下、添付図面を参照して、本考案の実施形態を詳細に説明する。各図面において、同様の構成要素には同様の符号が付与されている。なお、以下に記載される内容は、実用新案登録請求の範囲に記載される考案の技術的範囲及び用語の意義を限定するものではない。
【０００９】
図１〜図４は、それぞれ本実施形態における貯金箱の正面図、側面図、平面図及び底面図であり、図５〜図７は、貯金箱本体の斜視図、平面図及び底面図である。貯金箱１は、マスコット１０と、貯金箱本体２０と、モジュール３０と、を有する。
【００１０】
図１〜図４に示すように、マスコット１０は、合皮製の素材で形成され、スーツケースの形状を有するとともにキャラクターの外観を模している。マスコット１０は、その背部に開口部１１を有していて、開口部１１から貯金箱本体２０をマスコット１０の内部に収納する。マスコット１０は、その頂部に設けた大小２つの立体的なハンドル１２及び１３と、その前部に設けた立体的なキャラクターの前腕１４と、その側部にそれぞれ設けた立体的な車輪１５と、を有する。また、マスコット１０は、その頂部に設けた貨幣投入口１６と、その底部に設けた貨幣取出蓋１７と、を有する。貨幣投入口１６の位置は、後述する貯金箱本体２０の貨幣投入口２１に一致し、貨幣取出蓋１７の位置は、後述する貯金箱本体２０の貨幣取出蓋２２に一致する。
【００１１】
図５〜図７に示すように、貯金箱本体２０は、その頂部に設けた貨幣投入口２１と、その底部に設けた貨幣取出蓋２２と、を有する。また、貯金箱本体２０は、その内部にキャラクターの音声を再生するモジュール３０を有する。モジュール３０は、振動感知センサ３１と、振動感知センサに接続する回路基板３２と、回路基板に接続するスピーカ３３と、を有する。振動感知センサ３１は、貨幣投入口２１の近傍に設けられていて、貨幣の投入を振動により感知する。振動感知センサ３１が貨幣の投入を感知すると、回路基板３２がキャラクターの音声をスピーカ３３に再生させる。回路基板３２は、図示しないものの、マイクロコンピュータを有する。マイクロコンピュータは、キャラクターの音声を複数記憶する記憶部と、記憶されたキャラクターの音声をスピーカにランダムに再生させるように構成された制御部と、を有する。スピーカ３３は、貯金箱本体２０に形成された複数の音穴２３を介して貯金箱本体２０の外部へキャラクターの音声を再生する。マスコット１０の口の位置に対応するように、複数の音穴２３が貯金箱本体２０の頂部に形成されているため、あたかもマスコット１０のキャラクターがしゃべっているかのように聞こえる。
【００１２】
ここで、本考案の作用効果について説明する。本考案に係る貯金箱によれば、貨幣を投入するとキャラクターの音声がランダムに流れるだけでなく、貯金箱本体を、スーツケースの形状を有するとともにキャラクターの外観を模したマスコットに収納するため、旅心を煽って貯金したくなるとともに飾っても可愛い貯金箱を提供できる。
【００１３】
本明細書において種々の実施形態について説明したが、本考案は、前述した種々の実施形態に限定されるものではなく、以下の実用新案登録請求の範囲に記載された範囲内において種々の変更を行えることを認識されたい。
【符号の説明】
【００１４】
１    貯金箱
１０    マスコット
２０    貯金箱本体
３０    モジュール
３１    振動感知センサ
３２    回路基板
３３    スピーカ
【図１】
0003205836.tif 000003
【図２】
0003205836.tif 000004
【図３】
0003205836.tif 000005
【図４】
0003205836.tif 000006
【図５】
0003205836.tif 000007
【図６】
0003205836.tif 000008
【図７】
0003205836.tif 000009